(57)【特許請求の範囲】
【請求項１】
複数要素の一部若しくは全部に対するパラメータを予め設定した複数の設定ファイルの中の所望の設定ファイルを参照し、該参照した設定ファイルに基づいてジョブを実行する画像処理装置のパラメータ設定方法において、
前記複数の設定ファイルから選択した第１の設定ファイルを参照した後に、前記複数の設定ファイルから選択した第２の設定ファイルを参照した際に、前記第１の設定ファイルと前記第２の設定ファイルとの両者が同一の要素に対する設定を有している場合は、該同一の要素については前記第２の設定ファイルの設定を有効とし、他の要素については前記第１の設定ファイルおよび前記第２の設定ファイルのそれぞれの設定を有効とすることを特徴とする画像処理装置のパラメータ設定方法。
【請求項２】
複数要素の一部若しくは全部に対するパラメータを予め設定した複数の設定ファイルの中の所望の設定ファイルを参照し、該参照した設定ファイルに基づいてジョブを実行する画像処理装置のパラメータ設定方法において、
前記複数の設定ファイルから選択した第１の設定ファイルを参照した後に、前記複数の設定ファイルから選択した第２の設定ファイルを参照した際に、前記第１の設定ファイルと前記第２の設定ファイルとの両者が同一の要素に対する設定を有している場合は、該同一の要素については前記第１の設定ファイルの設定を有効とし、他の要素については前記第１の設定ファイルおよび前記第２の設定ファイルのそれぞれの設定を有効とすることを特徴とする画像処理装置のパラメータ設定方法。
【請求項３】
複数要素の一部若しくは全部に対するパラメータを予め設定した複数の設定ファイルの中の所望の設定ファイルを参照し、該参照した設定ファイルに基づいてジョブを実行する画像処理装置のパラメータ設定装置において、
前記複数の設定ファイルから所望の設定ファイルを選択する選択手段と、
前記選択手段により、第１の設定ファイルが選択された後に第２の設定ファイルが選択された際に、前記第１の設定ファイルおよび前記第２の設定ファイルを参照し、前記第１の設定ファイルと前記第２の設定ファイルとの両者が同一の要素に対する設定を有している場合は、該同一の要素については前記第２の設定ファイルの設定を有効とし、他の要素については前記第１の設定ファイルおよび前記第２の設定ファイルのそれぞれの設定を有効とする参照手段と
を具備することを特徴とする画像処理装置のパラメータ設定装置。
【請求項４】
複数要素の一部若しくは全部に対するパラメータを予め設定した複数の設定ファイルの中の所望の設定ファイルを参照し、該参照した設定ファイルに基づいてジョブを実行する画像処理装置のパラメータ設定装置において、
前記複数の設定ファイルから所望の設定ファイルを選択する選択手段と、
前記選択手段により、第１の設定ファイルが選択された後に第２の設定ファイルが選択された際に、前記第１の設定ファイルおよび前記第２の設定ファイルを参照し、前記第１の設定ファイルと前記第２の設定ファイルとの両者が同一の要素に対する設定を有している場合は、該同一の要素については前記第１の設定ファイルの設定を有効とし、他の要素については前記第１の設定ファイルおよび前記第２の設定ファイルのそれぞれの設定を有効とする参照手段と
を具備することを特徴とする画像処理装置のパラメータ設定装置。
【発明の詳細な説明】
【０００１】
【発明の属する技術分野】
この発明は、画像処理装置のパラメータ設定方法および装置に関し、特に、予め設定したパラメータの利用を効率良く利用することのできる画像処理装置のパラメータ設定方法および装置に関する。
【０００２】
【従来技術】
複写機やプリンタ、スキャナ、ファクシミリ、それらの複合機等の画像処理装置においては、ジョブを実行する際に、その動作条件等をパラメータとして設定する必要がある。パラメータの設定には、繁雑な操作が必要であり、特にスキャナでは設定するパラメータの数が多いために、ジョブの実行準備に要する時間が長くなる。
【０００３】
このため、複合機等の画像処理装置においては、装置のパラメータを登録し、これを呼び出すことで手動操作によるパラメータ設定に代えて利用することのできるジョブメモリが使用されている。このジョブメモリは、登録を行う時点での装置のパラメータを記憶（登録）するものであり、通常、パラメータの設定を終えた状態で登録を行う。また、必ずしもパラメータの全項目を設定する必要がなく、一部の項目を設定するようにしてもよい。
【０００４】
ところで、最近では、複合機などの画像処理装置はネットワークに接続されて使用されることも多くなり、これにともなってジョブメモリとは別に、ジョブテンプレートと呼ばれるものへのパラメータの登録や呼び出しが利用されるようになっている。
【０００５】
ここで、複合機のスキャン機能を例としてジョブメモリとジョブテンプレートの夫々について説明する。
図１３は、ジョブメモリとジョブテンプレートにより設定可能な項目（一部のみ）を示したテーブルである。
【０００６】
ジョブメモリは、上述したように複合機で行った設定をそのまま登録するものであるので、図１３に示すように設定可能な項目は複合機の操作部で設定可能な項目と同じであり、読み取った画像の格納先となる複合機内の親展ボックスの指定や、読み取り解像度（例、２００ｄｐｉ、４００ｄｐｉ等）、原稿の種類（文字／写真／文字写真）、読み取り濃度、読み取りサイズ、両面指定が可能となる。
【０００７】
これに対して、ジョブテンプレートはネットワークに接続されたクライアントで作成されてテンプレートサーバに登録されており、複合機がこのジョブテンプレートをネットワークを介して取得することでパラメータの手動設定に代えられるものである。また、ジョブテンプレートでは、読み取った画像の格納先として、ネットワークに接続されたサーバやクライアントが設定され、画像データの圧縮方法を設定することもできる。
【０００８】
このように、ジョブメモリとジョブテンプレートは全く同一のものではなく、ジョブメモリは主として操作の省略に使用され、ジョブテンプレートは主としてネットワークスキャナとして使用する場合の画像格納先の設定に使用されている。このため、ユーザからは画像格納先の設定をジョブテンプレートを用いて行い、その他の設定をジョブメモリを使用して行いたいといった要望も生じることになる。
【０００９】
ところが、ジョブメモリとジョブテンプレートは共存することができず、常に後から呼び出されたジョブメモリ若しくはジョブテンプレートが有効な設定となってしまう。例えば、図１４（ａ）に示すジョブテンプレートを呼び出した後に、図１４（ｂ）に示すジョブメモリを呼び出した場合には、図１４（ｃ）に示すように、複合機のパラメータの設定は、初期状態５０１からジョブテンプレート呼び出し後の状態５０２、ジョブメモリ呼び出し後の状態５０３のように変化する。このように後から呼び出した設定が有効となるため、図１４（ｂ）に示した画像格納先の未設定なジョブメモリを図１４（ａ）に示したジョブテンプレートの後に呼び出したとしても複合機の設定は画像格納先が空白のままで、この後にさらに図１４（ａ）に示すジョブテンプレートを呼び出せば、ジョブメモリ呼び出し後の状態５０３は、全て無効となってしまう。
【００１０】
【発明が解決しようとする課題】
上述のように、従来の複合機などの画像処理装置では、ジョブメモリとジョブテンプレートによるパラメータの設定では、両者を共存させることができず、これらを使用したパラメータの設定は必ずしも所望のものを得ることができなかった。
【００１１】
そこで、この発明は、ジョブメモリとジョブテンプレートの設定を共存させ、パラメータの設定をより簡単に行うことのできる画像処理装置のパラメータ設定方法および装置を提供することを目的とする。
【００１２】
【課題を解決するための手段】
上述した目的を達成するため、請求項１の発明は、複数要素の一部若しくは全部に対するパラメータを予め設定した複数の設定ファイルの中の所望の設定ファイルを参照し、該参照した設定ファイルに基づいてジョブを実行する画像処理装置のパラメータ設定方法において、前記複数の設定ファイルから選択した第１の設定ファイルを参照した後に、前記複数の設定ファイルから選択した第２の設定ファイルを参照した際に、前記第１の設定ファイルと前記第２の設定ファイルとの両者が同一の要素に対する設定を有している場合は、該同一の要素については前記第２の設定ファイルの設定を有効とし、他の要素については前記第１の設定ファイルおよび前記第２の設定ファイルのそれぞれの設定を有効とすることを特徴とする。
【００１３】
また、請求項２の発明は、複数要素の一部若しくは全部に対するパラメータを予め設定した複数の設定ファイルの中の所望の設定ファイルを参照し、該参照した設定ファイルに基づいてジョブを実行する画像処理装置のパラメータ設定方法において、前記複数の設定ファイルから選択した第１の設定ファイルを参照した後に、前記複数の設定ファイルから選択した第２の設定ファイルを参照した際に、前記第１の設定ファイルと前記第２の設定ファイルとの両者が同一の要素に対する設定を有している場合は、該同一の要素については前記第１の設定ファイルの設定を有効とし、他の要素については前記第１の設定ファイルおよび前記第２の設定ファイルのそれぞれの設定を有効とすることを特徴とする。
【００１４】
また、請求項３の発明は、複数要素の一部若しくは全部に対するパラメータを予め設定した複数の設定ファイルの中の所望の設定ファイルを参照し、該参照した設定ファイルに基づいてジョブを実行する画像処理装置のパラメータ設定装置において、前記複数の設定ファイルから所望の設定ファイルを選択する選択手段と、前記選択手段により、第１の設定ファイルが選択された後に第２の設定ファイルが選択された際に、前記第１の設定ファイルおよび前記第２の設定ファイルを参照し、前記第１の設定ファイルと前記第２の設定ファイルとの両者が同一の要素に対する設定を有している場合は、該同一の要素については前記第２の設定ファイルの設定を有効とし、他の要素については前記第１の設定ファイルおよび前記第２の設定ファイルのそれぞれの設定を有効とする参照手段とを具備することを特徴とする。
【００１５】
また、請求項４の発明は、複数要素の一部若しくは全部に対するパラメータを予め設定した複数の設定ファイルの中の所望の設定ファイルを参照し、該参照した設定ファイルに基づいてジョブを実行する画像処理装置のパラメータ設定装置において、前記複数の設定ファイルから所望の設定ファイルを選択する選択手段と、前記選択手段により、第１の設定ファイルが選択された後に第２の設定ファイルが選択された際に、前記第１の設定ファイルおよび前記第２の設定ファイルを参照し、前記第１の設定ファイルと前記第２の設定ファイルとの両者が同一の要素に対する設定を有している場合は、該同一の要素については前記第１の設定ファイルの設定を有効とし、他の要素については前記第１の設定ファイルおよび前記第２の設定ファイルのそれぞれの設定を有効とする参照手段とを具備することを特徴とする。
【００２４】
【発明の実施の形態】
以下、この発明に係わる画像処理装置のパラメータ設定方法および装置の一実施例を添付図面を参照して詳細に説明する。
【００２５】
図１は、この発明に係わる画像処理装置のパラメータ設定方法および装置を適用した複合機の構成を示すブロック図である。
図１において、複合機２０はジョブテンプレートが登録されているテンプレートサーバ３０とネットワーク４０を介して接続されており、複合機２０の全体の制御を行う制御部１とユーザに対して必要な情報を表示するとともにユーザの指示を入力する操作表示部２、画像の読み取りを行う画像入力部３、画像の印刷を行う画像出力部４、文書を記憶する文書記憶部Ａ５、ＮｅｔＩ／Ｆ（ネットワークインタフェイス）７を介して接続されるネットワーク４０との間の通信を制御する通信制御部６、上述したＮｅｔＩ／Ｆ７、各パラメータを一時的に記憶してジョブの実行の際に参照される設定記憶部８、ジョブメモリが登録されるジョブメモリ記憶部９、ジョブの管理を行うジョブ管理部１１を含みジョブの実行制御を行うジョブ制御部１０、文書記憶部Ａとは別にユーザ毎等に割り当てられた親展ボックスとして文書を記憶する文書記憶部Ｂ１２、ネットワーク４０を介してテンプレートサーバ３０から取得したジョブテンプレートをキャッシュするテンプレート一時記憶部１３、これらを接続するバス１４を具備して構成される。
【００２６】
この複合機２０にジョブ、例えば、スキャンジョブを実行させる場合には、ユーザが操作表示部２からジョブの実行に必要な設定を行う。操作表示部２は、図２に示すようなタッチパネル５０が具備されており、タッチパネル５０は「基本スキャナー」タブ５１、「お好みスキャナー」タブ５２、スキャナー機能一覧」タブ５３、「スキャナージョブメモリー」タブ５４、「親展ボックス」キー５５、「ジョブテンプレート指定」キー５６等を選択して各種設定を行うことができるようになっている。
【００２７】
設定を行う方法としては、ユーザによる手動設定とジョブメモリの呼び出しによる設定、ジョブテンプレートの呼び出しによる設定がある。
手動設定では、ユーザが「基本スキャナー」タブ５１、「お好みスキャナー」タブ５２、スキャナー機能一覧」タブ５３の全部若しくは一部を選択して、それぞれの画面で（図２は「基本スキャナー」タブ５１が選択された状態）各種設定を行う。このとき、画像保存先の選択は、「親展ボックス」キー５５を押下することにより行い、これによりタッチパネル５０は、図３に示すような状態となる。この図３に示す状態では、選択キー５７のいずれかを押下することで所望の親展ボックスを画像保存先として指定でき、例えば、選択キー５７−１を押下した場合には画像保存先として「庶務親展受信用」の親展ボックスが指定される。
【００２８】
ジョブメモリの呼び出しによる設定を行う場合には、「スキャナージョブメモリー」タブ５４を選択することで行い、これによりタッチパネル５０は図４に示すような状態となる。この図４に示した状態では、選択キー５８のいずれかを押下することで所望のジョブメモリを選択でき、例えば、選択キー５８−１を押下することで、選択キー５８−１に示されている設定がジョブメモリ記憶部９（図１参照）から読み出されて設定記憶部８に記憶される。
【００２９】
また、ジョブテンプレートの呼び出しによる設定を行う場合には、「ジョブテンプレート指定」キー５６を押下することで行い、これによりタッチパネル５０は図５に示すような状態となる。この図５に示した状態では、選択キー５９のいずれかを押下することで所望のジョブテンプレートを選択でき、例えば、選択キー５９−１を押下することで、選択キー５９−１に示されている設定がジョブテンプレート一時記憶部１３から（図１参照、ジョブテンプレートがジョブテンプレート一時記憶部１３にキャッシュされていない場合にはネットワーク４０を介してテンプレートサーバ３０から）読み出されて設定記憶部８に記憶される。
【００３０】
ところで、この複合機２０では、ジョブメモリの呼び出しによる設定とジョブテンプレートの呼び出しによる設定を共存させることができる。以下、複合機２０のパラメータ設定動作について図６を参照して説明する。
【００３１】
図６は、パラメータ設定時の複合機２０の動作の流れを示すフローチャートである。
複合機２０が動作を開始し（ステップ１０１）、ユーザが選択キー５９を押下することでジョブテンプレートを選択すると（ステップ１０２でＹＥＳ）、制御部１はテンプレート一時記憶部１３から選択されたジョブテンプレートで設定されているパラメータを読み出し（ステップ１０３）、読み出したパラメータを設定記憶部８にコピー（書き込み）する（ステップ１０４）。
【００３２】
設定記憶部８へのコピーが行われるか（ステップ１０４）、ユーザによるテンプレートの選択がされなかった場合に（ステップ１０２でＮＯ）、ユーザが選択キー５８を押下することでジョブメモリを選択すると（ステップ１０５でＹＥＳ）、制御部１はジョブメモリ記憶部９から選択されたジョブメモリで設定されているパラメータを読み出し（ステップ１０６）、この読み出したジョブメモリに画像の格納先（画像保存先）が設定されていれば（ステップ１０７でＹＥＳ）、読み出したパラメータを全て設定記憶部８にコピーし（ステップ１０８）、画像の格納先が設定されていなければ（ステップ１０７でＮＯ）、読み出したパラメータのうち画像保存先を除くパラメータを設定記憶部８にコピーする（ステップ１０９）。
【００３３】
これらの処理を操作表示部２の図示しないスタートキーが押下されるまで繰り返し（ステップ１１０でＮＯ）、スタートキーが押下されると（ステップ１１０でＹＥＳ）、制御部１はパラメータの整合がとれていれば、つまり、ジョブ実行に必要なパラメータが全て設定されていれば（ステップ１１１でＹＥＳ）、ジョブ制御部１０に対してジョブの実行を指示して（ステップ１１２）、パラメータ設定を終了する（ステップ１１３）。
【００３４】
次に、図７乃至９を参照してジョブメモリやジョブテンプレートが呼び出された場合の設定記憶部８の記憶状態の変化について説明する。
【００３５】
図７は、ジョブメモリが呼び出された後でジョブテンプレートの呼び出しが行われた場合の設定記憶部８の記憶状態の変化を示した図である。
設定記憶部８が図７（ｃ）に示す初期状態（記憶状態６１）のときに、図７（ａ）に示すような内容のジョブメモリが呼び出されると（図６のステップ１０２でＮＯ、ステップ１０５でＹＥＳ、ステップ１０６）、このジョブメモリでは格納先が指定されているので（ステップ１０７でＹＥＳ）、図７（ｃ）の記憶状態６２に示すように全てのパラメータが設定記憶部８に書き込まれる（ステップ１０８）。次に、図７（ｂ）に示すような内容のジョブテンプレートが呼び出されると（ステップ１１０でＮＯ、ステップ１０２でＹＥＳ、ステップ１０３）、図７（ｃ）の記憶状態６３に示すように全てのパラメータが設定記憶部８に書き込まれる（ステップ１０４）。このようにジョブメモリを呼び出した後でジョブテンプレートを呼び出した場合には、設定記憶部８の記憶状態は呼び出されたジョブテンプレートの内容と等しくなる。
【００３６】
図８は、ジョブテンプレートが呼び出された後でジョブメモリの呼び出しが行われた場合の設定記憶部８の記憶状態の変化を示した図である。
設定記憶部８が図８（ｃ）に示す初期状態（記憶状態７１）のときに、図８（ａ）に示すような内容のジョブテンプレートが呼び出されると（図６のステップ１０２でＹＥＳ、ステップ１０３）、図８（ｃ）の記憶状態７２に示すようにジョブテンプレートのパラメータが設定記憶部８に書き込まれる（ステップ１０４）。次に、図８（ｂ）に示すような内容のジョブメモリが呼び出されると（ステップ１０５でＹＥＳ、ステップ１０６）、このジョブメモリでは格納先が指定されているので（ステップ１０７でＹＥＳ）、図７（ｃ）の記憶状態７３に示すように全てのパラメータが設定記憶部８に書き込まれる（ステップ１０８）。このようにジョブテンプレートを呼び出した後でジョブメモリを呼び出した場合にも、設定記憶部８の記憶状態は呼び出されたジョブメモリの内容と等しくなる。
【００３７】
図９は、ジョブテンプレートが呼び出された後で画像の格納先の設定されていないジョブメモリの呼び出しが行われた場合の設定記憶部８の記憶状態の変化を示した図である。
設定記憶部８が図９（ｃ）に示す初期状態（記憶状態８１）のときに、図９（ａ）に示すような内容のジョブテンプレートが呼び出されると（図６のステップ１０２でＹＥＳ、ステップ１０３）、図９（ｃ）の記憶状態８２に示すようにジョブテンプレートのパラメータが設定記憶部８に書き込まれる（ステップ１０４）。次に、図８（ｂ）に示すような内容のジョブメモリが呼び出されると（ステップ１０５でＹＥＳ、ステップ１０６）、このジョブメモリでは格納先が指定されていないので（ステップ１０７でＮＯ）、図７（ｃ）の記憶状態８３に示すように格納先を除いたパラメータが設定記憶部８に書き込まれる（ステップ１０９）。このようにジョブテンプレートを呼び出した後で格納先の設定されていないジョブメモリを呼び出した場合には、設定記憶部８の記憶状態は画像の格納先がジョブテンプレートにより設定され、他の部分がジョブメモリにより設定されたものとなる。
【００３８】
なお、この実施例においては、ジョブメモリに格納先（画像保存先）の設定がないばあいのみ、ジョブメモリとジョブテンプレートの設定が共存するようにしが、他のパラメータについても同様の処理を行うことが可能であるとともに、ジョブテンプレートに空白設定があった場合にも、同様の処理を行うことができる。
【００３９】
次に、この発明に係わる画像処理装置のパラメータ設定方法および装置の第２の実施例について説明する。
【００４０】
上述の実施例においては、ジョブメモリとジョブテンプレートの設定が共存するのは、後から呼び出されたジョブメモリ若しくはジョブテンプレートに空白設定（設定なし）があった場合にのみであったが、この第２の実施例ではジョブメモリとジョブテンプレートを任意の組み合わせで共存させることができる。
【００４１】
この第２の実施例においては、図示しない複合機でジョブメモリとジョブテンプレートのいずれかを呼び出した後、変更したい項目（パラメータ）をクリアして、その後別のジョブメモリ若しくはジョブテンプレートを呼び出す。後からジョブメモリ若しくはジョブテンプレートを呼び出す際には、前設定（現に設定されているパラメータ）を有効にするように指定し、これによりクリアされている空白設定のパラメータのみが変更される。
【００４２】
前設定を有効にするためには、例えば、図１０に示すタッチパネル１５０に「前設定を有効にする」キー１６０を表示して、ユーザがこれを押下することで前設定を有効とすることができる。なお、タッチパネル１５０の「基本スキャナー」タブ１５１、「お好みスキャナー」タブ１５２、スキャナー機能一覧」タブ１５３、「スキャナージョブメモリー」タブ１５４、選択キー１５８（１５８−１を含む）は、各々図４に示した「基本スキャナー」タブ５１、「お好みスキャナー」タブ５２、スキャナー機能一覧」タブ５３、「スキャナージョブメモリー」タブ５４、選択キー５８（５８−１）に対応する。
【００４３】
また、特に図示はしないが、ジョブテンプレートの選択画面（図５参照）にも同様に前設定を有効にするためのキーを設ける。
【００４４】
ここで、図１１を参照して第２の実施例における複合機（不図示）のパラメータ設定時の動作を説明する。
図１１は、第２の実施例における複合機のパラメータ設定時の動作の流れを示すフローチャートである。
【００４５】
複合機が動作を開始し（ステップ２０１）、ユーザが選択キー（不図示）を押下することでジョブテンプレートを選択すると（ステップ２０２でＹＥＳ）、選択されたジョブテンプレートで設定されているパラメータが読み出される（ステップ２０３）。
【００４６】
ここで、ジョブテンプレートの選択時に、前設定の有効が指定されていれば（ステップ２０４でＹＥＳ）、設定記憶部（不図示、図１の設定記憶部８に対応）の空白部分（パラメータの設定がない項目）にのみステップ２０３で読み出したパラメータをコピーする（ステップ２０５）。
【００４７】
一方、ジョブテンプレートの選択時に前設定の有効が指定されていなければ（ステップ２０４でＮＯ）、ステップ２０３で読み出したパラメータを全て設定記憶部にコピーする（ステップ２０６）。
【００４８】
同様に、ユーザが選択キー１５８を押下することでジョブメモリを選択すると（ステップ２０７でＹＥＳ）、選択されたジョブメモリで設定されているパラメータが読み出され（ステップ２０８）、ジョブメモリの選択時に「前設定を有効にする」キー１６０の押下により前設定の有効が指定されていれば（ステップ２０９でＹＥＳ）、設定記憶部の空白部分にのみステップ２０８で読み出したパラメータをコピーし（ステップ２１０）、ジョブメモリの選択時に前設定の有効が指定されていなければ（ステップ２０９でＮＯ）、ステップ２０８で読み出したパラメータを全て設定記憶部にコピーする（ステップ２１１）。
【００４９】
これらの処理は図示しないスタートキーが押下されるまで繰り返され（ステップ２１２でＮＯ）、スタートキーが押下され（ステップ２１２でＹＥＳ）、パラメータの整合がとれていれば（ステップ２１３でＹＥＳ）、ジョブを実行して（ステップ２１４）、パラメータ設定を終了する（ステップ２１５）。
【００５０】
次に、図１２を参照してジョブメモリやジョブテンプレートが呼び出された場合の設定記憶部の記憶状態の変化について説明する。
【００５１】
図１２は、ジョブテンプレートが呼び出された後でジョブメモリの呼び出しが行われた場合の設定記憶部の記憶状態の変化を示した図である。
【００５２】
まず、設定記憶部に何も記憶されていない初期状態（不図示）で、ユーザにより図１２（ａ）に示すジョブテンプレートが選択されて呼び出されると（図１１ステップ２０２でＹＥＳ、ステップ２０３）、設定記憶部には前設定がないため、図１２（ｃ）の記憶状態１９１のようになる（ステップ２０４でＮＯ、ステップ２０６）。
【００５３】
ここで、ユーザが呼び出したジョブテンプレートで設定されているパラメータのうち、格納先と倍率をクリアすると設定記憶部は図１２（ｃ）の記憶状態１９２に示すようになる。
【００５４】
この状態で、図１２（ｂ）に示すようなジョブメモリを前設定を有効にして（「前設定を有効にする」キー１６０を押下）、呼び出すと（ステップ２０７でＹＥＳ、ステップ２０８）、前設定が有効であるため（ステップ２０９でＹＥＳ）、ステップ２０８で読み出されたパラメータのうち、設定記憶部の空白部分、つまり、格納先と倍率のパラメータのみが設定記憶部にコピーされ（ステップ２１０）、設定記憶部は図１２（ｃ）の記憶状態１９３に示すようになる。
【００５５】
このように、第２の実施例では、呼び出すジョブメモリ若しくはテンプレートの状態に係わらずユーザが任意に指定した項目を対象にジョブメモリとジョブテンプレートを共存させることができる。
【００５６】
なお、上述の２つの実施例で示したジョブメモリとジョブテンプレートを共存させる方法は、各々単独で実施できるのは説明した通りだが、両者を組み合わせて実施することもできる。
【００５７】
また、ジョブメモリのみを複数組み合わせたり、ジョブテンプレートのみを複数組み合わせたりすることもできる。
【００５８】
【発明の効果】
以上説明したように、この発明によれば、ジョブメモリ若しくはジョブテンプレート等の設定を呼び出した後に、別のジョブメモリ若しくはジョブテンプレート等の設定を呼び出す際に、後から呼び出した方にパラメータの未設定部分がある場合には、この未設定部分に先に呼び出したパラメータを設定するように構成したので、ジョブメモリとジョブテンプレート等の複数の設定を共存させることができ、パラメータの設定をより簡単に行うことができる。
【００５９】
また、ジョブメモリ若しくはジョブテンプレート等の設定を呼び出す際に、前設定を有効にするように指定できるようにし、この指定がされている場合には呼び出されたジョブメモリ若しくはジョブテンプレート等の設定により、現に未設定であるパラメータのみを変更するように構成したので、ユーザが任意の組み合わせでジョブメモリとジョブテンプレート等の複数の設定を共存させることができる。
【図面の簡単な説明】
【図１】この発明に係わる画像処理装置のパラメータ設定方法および装置を適用した複合機の構成を示すブロック図。
【図２】パラメータ設定時のタッチパネルの表示例を示した図。
【図３】画像保存先に親展ボックスを選択した場合のタッチパネルの表示例を示した図。
【図４】ジョブメモリを選択する場合のタッチパネルの表示例を示した図。
【図５】ジョブテンプレートを選択する場合のタッチパネルの表示例を示した図。
【図６】パラメータ設定時の複合機２０の動作の流れを示すフローチャート。
【図７】ジョブメモリが呼び出された後でジョブテンプレートの呼び出しが行われた場合の設定記憶部８の記憶状態の変化を示した図。
【図８】ジョブテンプレートが呼び出された後でジョブメモリの呼び出しが行われた場合の設定記憶部８の記憶状態の変化を示した図。
【図９】ジョブテンプレートが呼び出された後で画像の格納先の設定されていないジョブメモリの呼び出しが行われた場合の設定記憶部８の記憶状態の変化を示した図。
【図１０】第２の実施例におけるタッチパネルの表示例を示した図。
【図１１】第２の実施例における複合機のパラメータ設定時の動作の流れを示すフローチャート。
【図１２】ジョブテンプレートが呼び出された後でジョブメモリの呼び出しが行われた場合の設定記憶部の記憶状態の変化を示した図。
【図１３】ジョブメモリとジョブテンプレートにより設定可能な項目（一部のみ）を示したテーブル。
【図１４】ジョブメモリとジョブテンプレートによる従来のパラメータ設定方法を説明するための図。
【符号の説明】
１    制御部
２    操作表示部
３    画像入力部
４    画像出力部
５    文書記憶部Ａ
６    通信制御部
７    ＮｅｔＩ／Ｆ
８    設定記憶部
９    ジョブメモリ記憶部
１０    ジョブ制御部
１１    ジョブ管理部
１２    文書記憶部Ｂ
１３    テンプレート一時記憶部
１４    バス
３０    テンプレートサーバ
４０    ネットワーク
５０    タッチパネル
５１    「基本スキャナー」タブ
５２    「お好みスキャナー」タブ
５３    「スキャナー機能一覧」タブ
５４    「スキャナージョブメモリー」タブ
５５    「親展ボックス」キー
５６    「ジョブテンプレート指定キー」
５７、５７−１、５８、５８−１、５９、５９−１    選択キー
６１、６２、６３、７１、７２、７３、８１、８２、８３    記憶状態
１５０    タッチパネル
１５１    「基本スキャナー」タブ
１５２    「お好みスキャナー」タブ
１５３    「スキャナー機能一覧」タブ
１５４    「スキャナージョブメモリー」タブ
１５８、１５８−１    選択キー
１６０    「前設定を有効にする」キー
１９１、１９２、１９３    記憶状態
【図１】
0003575278.tif 000002
【図２】
0003575278.tif 000003
【図３】
0003575278.tif 000004
【図４】
0003575278.tif 000005
【図５】
0003575278.tif 000006
【図６】
0003575278.tif 000007
【図７】
0003575278.tif 000008
【図８】
0003575278.tif 000009
【図９】
0003575278.tif 000010
【図１０】
0003575278.tif 000011
【図１１】
0003575278.tif 000012
【図１２】
0003575278.tif 000013
【図１３】
0003575278.tif 000014
【図１４】
0003575278.tif 000015